(57)【特許請求の範囲】
【請求項１】
吸込口（２０ａ）と吹出口（２０ｂ）とを連絡する空気流路の途中にファン（１３）が配置される天井設置型の空調室内機であって、
前記空気流路のうち前記ファン（１３）から前記吹出口（２０ｂ）に至る吹出空気流路の入口の一部を形成する舌部（１５）と、
前記空気流路内の前記ファン（１３）の上流側に配置される熱交換器（１２）と、
前記熱交換器（１２）の下方に配置され前記熱交換器（１２）から落下する結露水を受けるドレンパン（１４）と、
を備え、
前記熱交換器（１２）の一部が、前記舌部（１５）の鉛直下方で、且つ前記ドレンパン（１４）と前記舌部（１５）との間に配置されており、
前記舌部（１５）は、
前記ファン（１３）の吹出側の近傍に位置する先端部（１５ａ）と、
前記先端部（１５ａ）から前記ファン（１３）の外周に近接して延びる第１面（１５ｂ）と、
前記先端部（１５ａ）から前記吹出口（２０ｂ）の方向へ延びる第２面（１５ｃ）と、
前記第１面（１５ｂ）と前記第２面（１５ｃ）とで挟まれた空間を埋める充填部材（１５ｄ）と、
を有する、
天井設置型の空調室内機（２）。
【請求項２】
前記充填部材（１５ｄ）が、発泡部材である、
請求項１に記載の天井設置型の空調室内機（２）。
【請求項３】
前記舌部（１５）が、前記熱交換器（１２）と前記ファン（１３）との間に配置されている、
請求項１に記載の天井設置型の空調室内機（２）。
【発明の詳細な説明】
【技術分野】
【０００１】
本発明は、空調室内機に関する。
【背景技術】
【０００２】
単一の吸込口から空気を吸い込んで単一の吹出口へ空気を吹き出す空調室内機において、ファンの下方に舌状の部材（以後、舌部とよぶ）が配置され、ファンから吹き出された空気が確実に吹出空気流路に入るように配慮されているものがある（例えば、特許文献１及び特許文献２参照）。
【０００３】
しかしながら、特許文献１及び特許文献２に開示されている舌部は、内部が空洞になっているため、室内熱交換器を通過した空気流が入り込み易く、空気流が入り込んだときは、渦巻きが発生しノイズとなる可能性がある。
【特許文献１】特開平３−２０４５２３号公報
【特許文献２】特開平６−３０７６６７号公報
【発明の開示】
【発明が解決しようとする課題】
【０００４】
本発明の課題は、舌部の内部に空気流が進入することを防止した空調室内機を提供することにある。
【課題を解決するための手段】
【０００５】
第１発明に係る天井設置型の空調室内機は、吸込口と吹出口とを連絡する空気流路の途中にファンが配置される天井設置型の空調室内機であって、舌部と、熱交換器と、ドレンパンとを備えている。舌部は、空気流路のうちファンから吹出口に至る吹出空気流路の入口の一部を形成している。熱交換器は、空気流路内のファンの上流側に配置されている。ドレンパンは、熱交換器の下方に配置され熱交換器から落下する結露水を受ける。熱交換器の一部は、舌部の鉛直下方で、且つドレンパンと舌部との間に配置されている。また、舌部は、先端部と、第１面と、第２面と、充填部材とを有している。先端部は、ファンの吹出側の近傍に位置している。第１面は、先端部からファンの外周に近接して延びている。第２面は、先端部から吹出口の方向へ延びている。充填部材は、第１面と第２面とで挟まれた空間を埋めている。
【０００６】
この空調室内機では、空気流が舌部の第１面と第２面とで挟まれた領域へ入り込むことができないので、空気流の渦巻き、およびその渦巻きによるノイズの発生が抑制される。また、舌部で結露した場合、結露水は、一旦、熱交換器へ落下してからドレンパンへ落下するので、舌部からドレンパンへ直接落下することがほとんどなく、落下する結露水が風で巻き上げられて周囲に飛散することが防止される。
【０００７】
第２発明に係る天井設置型の空調室内機は、第１発明に係る天井設置型の空調室内機であって、充填部材が発泡部材である。この空調室内機では、充填部材の成形が容易で軽量である。
【０００８】
第３発明に係る天井設置型の空調室内機は、第１発明に係る天井設置型の空調室内機であって、舌部が、熱交換器とファンとの間に配置されている。
【０００９】
この空調室内機では、熱交換器とファンとの間に必然的に形成される空間が、舌部の配置場所として利用されるので省スペースである。また、舌部の内側は充填部材によって断熱されているので、熱交換器によって冷却されたときの結露の発生が抑制される。
【発明の効果】
【００１０】
第１発明に係る天井設置型の空調室内機では、空気流が舌部の第１面と第２面とで挟まれた領域へ入り込むことができないので、空気流の渦巻き、およびその渦巻きによるノイズの発生が抑制される。また、結露水が舌部からドレンパンへ直接落下することがほとんどないので、落下する結露水が風で巻き上げられて周囲に飛散することが防止される。
【００１１】
第２発明に係る天井設置型の空調室内機では、充填部材の成形が容易で軽量である。
【００１２】
第３発明に係る天井設置型の空調室内機では、熱交換器とファンとの間に必然的に形成される空間が、舌部の配置場所として利用されるので省スペースである。また、舌部での結露の発生が抑制される。
【発明を実施するための最良の形態】
【００１３】
以下図面を参照しながら、本発明の実施形態について説明する。なお、以下の実施形態は、本発明の具体例であって、本発明の技術的範囲を限定するものではない。
【００１４】
＜空気調和装置の構成＞
図１は、本発明の一実施形態に係る空調室内機を使用した空気調和装置の概略構成図である。空気調和装置１は、蒸気圧縮式の冷凍サイクル運転によって、ビル等の室内の冷暖房を行なう。空気調和装置１は、主として、熱源ユニットとしての空調室外機３と、それに並列に接続される利用ユニットとしての空調室内機２とを備えている。冷媒回路１０は、空調室外機３と、空調室内機２と、冷媒連絡配管とが接続されることによって構成される。
【００１５】
＜空調室内機２＞
空調室内機２は、ビル等の室内の天井に埋め込みや吊り下げによって設置されており、室内膨張弁１１と室内熱交換器１２とを有している。室内膨張弁１１は、電動膨張弁であり、室内熱交換器１２の液側に接続される。室内熱交換器１２は、伝熱管と多数のフィンとにより構成されたクロスフィン式のフィン・アンド・チューブ型熱交換器であり、冷房運転時には冷媒の蒸発器となって室内空気を冷却し、暖房運転時には冷媒の凝縮器となって室内空気を加熱する。
【００１６】
＜空調室外機３＞
空調室外機３は、ビル等の室外に設置されており、圧縮機３１、四路切換弁３２、室外熱交換器３３、及び室外膨張弁３４を有している。圧縮機３１は、回転数制御によって容量を変更できるインバータ圧縮機である。
【００１７】
四路切換弁３２は、冷媒の流れの方向を切り換える弁である。冷房運転時には、圧縮機３１の吐出側と室外熱交換器３３のガス側とを連絡し、室内熱交換器１２のガス側と圧縮機３１の吸入側とを連絡する（図１の四路切換弁３２の実線を参照）。また、暖房運転時には、圧縮機３１の吐出側と室内熱交換器１２のガス側とを連絡し、圧縮機３１の吸入側と室外熱交換器３３のガス側とを連絡する（図１の四路切換弁３２の破線を参照）。
【００１８】
室外熱交換器３３は、伝熱管と多数のフィンとにより構成されたクロスフィン式のフィン・アンド・チューブ型熱交換器であり、冷房運転時には冷媒の凝縮器となり、暖房運転時には冷媒の蒸発器となる。
【００１９】
室外膨張弁３４は、電動膨張弁であり、室外側の冷媒回路１０内を流れる冷媒の圧力や流量等の調節を行うために、室外熱交換器３３と室内膨張弁１１との間に接続される。
【００２０】
＜空気調和装置の動作＞
（冷房運転）
冷房運転時は、四路切換弁３２が図１の実線で示される状態となり、圧縮機３１の吐出側が室外熱交換器３３のガス側に連絡され、かつ、圧縮機３１の吸入側が室内熱交換器１２のガス側に連絡された状態となる。室外膨張弁３４は開状態にされている。
【００２１】
その状態で、圧縮機３１が起動されると、圧縮機３１から吐出された高温・高圧のガス冷媒が室外熱交換器３３に導入される。ガス冷媒は、室外熱交換器３３で室外空気と熱交換して凝縮し高温高圧の液冷媒となり室内膨張弁１１に向う。高温高圧の液冷媒は、室内膨張弁１１で減圧されて低温・低圧の気液二相冷媒となり、室内熱交換器１２に入る。この気液二相冷媒は、室内熱交換器１２で室内空気と熱交換しガス冷媒となり、再び圧縮機３１に吸入される。
【００２２】
（暖房運転）
暖房運転時は、四路切換弁３２が図１の破線で示される状態となり、圧縮機３１の吐出側が室内熱交換器１２のガス側に連絡され、圧縮機３１の吸入側が室外熱交換器３３のガス側に連絡される。室外膨張弁３４は、室外熱交換器３３へ向う冷媒を室外熱交換器３３において蒸発させることが可能な蒸発圧力まで減圧するため、開度調節される。また、室内膨張弁１１は開状態にされる。
【００２３】
その状態で、圧縮機３１が起動されると、圧縮機３１より吐出された高温・高圧のガス冷媒が室内熱交換器１２に導入される。ガス冷媒は、室内熱交換器１２で室内空気と熱交換して凝縮し高温高圧の液冷媒となる。室内熱交換器１２を出た液冷媒は、室外膨張弁３４で減圧されて低温・低圧の気液二相冷媒となり、室外熱交換器３３に入る。この気液二相冷媒は、室外熱交換器３３で室外空気と熱交換しガス冷媒となり、再び圧縮機３１に吸入される。
【００２４】
＜空調室内機２の構成＞
図２は本発明の一実施形態に係る空調室内機の外観斜視図である。図２において、空調室内機２は、下面に吸込口２０ａ及び吹出口２０ｂを有する本体２０と、吸込口２０ａに取り付けられるパネル２４と、吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００２５】
図３は、空調室内機の断面図である。図３において、空調室内機２は、フィルタ９、室内熱交換器１２、ファン１３、ドレンパン１４及び吹出口モジュール５０をさらに備えている。空調室内機２の運転時、吹出口２０ｂが開き、ファン１３が回転し、空気が吸込口２０ａから吸い込まれ、吹出口２０ｂから吹出される。なお、パネル２４には、空気が通過する複数の通風孔２４ａが形成されている。
【００２６】
（フィルタ９）
フィルタ９は、図３に示すように室内熱交換器１２の前面側に配置され、室内から取り込まれた空気から塵埃を除去する。これにより、フィルタ９は、空気中に浮遊する塵埃が室内熱交換器１２の表面を汚染することを防止している。
【００２７】
（室内熱交換器１２）
図３において、室内熱交換器１２は、２つの熱交換器が異なる傾斜姿勢で隣接する形状をしており、上側の熱交換器を上部熱交換器１２ａ、下側の熱交換器を下部熱交換器１２ｂと呼ぶ。上部熱交換器１２ａの上端面１２ａｂは、本体２０の内側上部に位置し、上端面１２ａｂと下端面１２ａａとを結ぶ上面１２ａｄ及び下面１２ａｃの傾斜角度は、水平線に対して４５°以上６０°以下に設定されている。なお、本実施形態では、上部熱交換器１２ａの上面１２ａｄ及び下面１２ａｃは、水平線に対して５５°傾斜している。
【００２８】
上部熱交換器１２ａで発生した結露水は、上部熱交換器１２ａの表面を伝って降下する。降下する結露水の大部分は、下面１２ａｃに到達するが、表面張力によって下面１２ａｃから離れることはない。下面１２ａｃは傾斜しているので、下面１２ａｃに到達した結露水は、下面１２ａｃに沿って降下し下端面１２ａａに到達する。下端面１２ａａに到達した結露水は、降下時の勢いでそのままドレンパン１４へ落下するものもあれば、先に下端面１２ａａに到達して落下できないでいる結露水と結合し重力を増してからドレンパン１４へ落下するものもある。
【００２９】
下部熱交換器１２ｂの上端面１２ｂｂは、上部熱交換器１２ａの下端面１２ａａに近接して配置されており、上端面１２ｂｂと下端面１２ｂａとを結ぶ上面１２ｂｄ及び下面１２ｂｃの傾斜角度は、水平線に対して４５°未満である。
【００３０】
上部熱交換器１２ａの寸法は、下部熱交換器１２ｂより長く、水平面に対する上部熱交換器１２ａの傾斜角度も大きくなることによって、上部熱交換器１２ａの上端面１２ａｂの位置が高くなる。しかし、上部熱交換器１２ａの下端面１２ａａの上辺は、下部熱交換器１２ｂの上端面１２ｂｂの上辺より下方に位置しているので、その高くなった分量の一部が吸収される。その結果、本体の高さ寸法の増加が抑制されている。
【００３１】
（ファン１３）
ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸込口２０ａから入った空気は、フィルタ９、吸込空気流路４１ａ、室内熱交換器１２を通過してファン１３に吸い込まれる。ファン１３から吹き出された空気は、吹出空気流路４１ｂを通過して吹出口２０ｂから出て行く。なお、吸込空気流路４１ａ及び吹出空気流路４１ｂは、流路形成用断熱材４１によって、本体２０の外殻と断熱されている。
【００３２】
吹出口２０ｂには、第１風向調節羽根５２が配置されている。第１風向調節羽根５２は、モータによって傾斜角度の調節が可能であり、運転停止時は、第１風向調節羽根５２が吹出口２０ｂを閉じる。また、第１風向調節羽根５２の上流には、第２風向調節羽根５３が位置し、モータによって吹出口２０ｂの長手方向と直行する軸を中心に遥動するので、吹出口２０ｂから吹出される空気の方向は適切に調整される。
【００３３】
（ドレンパン１４）
ドレンパン１４は、上部熱交換器１２ａの下端面１２ａａ及び下部熱交換器１２ｂの下面１２ｂｃの下方に配置されている。上部熱交換器１２ａ表面で発生した結露水は、必ず下端面１２ａａまで降下してくるので、ドレンパン１４は、上部熱交換器１２ａの下面１２ａｃの下方に配置される必要が無い。
【００３４】
（舌部１５）
舌部１５は、ファン１３とドレンパン１４との間で且つ吹出空気流路４１ｂ側に設けられ、吹出空気流路４１ｂの入口の一部を形成している。舌部１５は、先端部１５ａ、第１面１５ｂ、および第２面１５ｃ有している。先端部１５ａは、ファン１３の吹出側に近接している。第１面１５ｂは、ファン１３の外周に近接しその外周に沿うように延びている。第２面１５ｃは、先端部１５ａから吹出口２０ｂの方向へ延びている。本実施形態では、舌部１５は、室内熱交換器１２とファン１３との間に必然的に形成される空間に位置しており、空間が有効に利用されている。
【００３５】
先端部１５ａ、第１面１５ｂ及び第２面１５ｃで囲まれた舌部内空間は、発泡スチロール製の充填部材１５ｄで満たされている。従来の空調室内機における舌部内空間は空洞であるため、室内熱交換器１２を通過した空気流がその空洞へ入り込み、渦巻きとなってノイズを発生させる可能性があったが、本実施形態では、舌部内空間は、充填部材１５ｄで満たされているので空気流の入り込みが防止されている。また、充填部材１５ｄは、舌部１５の内側の断熱材としての機能も有している。
【００３６】
下部熱交換器１２ｂの下端面１２ｂａは、舌部１５の下方に位置しているので、従来（例えば、特開平１０−２０５７９６参照）のような舌部と熱交換器との位置関係に比べてデッドスペースを有効利用することができる。また、下部熱交換器１２ｂの下端面１２ｂａが、ドレンパン１４と舌部１５との間に挟まれているので、仮に舌部１５で結露した場合、結露水は、一旦、下部熱交換器１２ｂへ落下してからドレンパン１４へ落下する。
【００３７】
＜特徴＞
空調室内機２では、舌部１５の舌部内空間が充填部材１５ｄで満たされている。その結果、空気流が入り込むことができないので、空気流の渦巻き、およびその渦巻きによるノイズの発生が抑制される。また、舌部１５は、下部熱交換器１２ｂとファン１３との間に必然的に形成される空間に位置しているので、省スペースである。下部熱交換器１２ｂの下端面１２ｂａは、ドレンパン１４と舌部１５との間に挟まれているので、舌部１５で発生した結露水は、下部熱交換器１２ｂへ落下してからドレンパン１４へ落下する。このため、結露水がドレンパン１４へ直接落下することがほとんどなく、落下する結露水が風で巻き上げられて周囲に飛散することが防止される。
【産業上の利用可能性】
【００３８】
以上のように、本発明によれば、クロスフローファンによって単一の吸込口２０ａから空気を吸い込んで単一の吹出口２０ｂへ吹き出す空調室内機に有用である。
【図面の簡単な説明】
【００３９】
【図１】本発明の一実施形態に係る空調室内機を使用した空気調和装置の概略構成図。
【図２】本発明の一実施形態に係る空調室内機の外観斜視図。
【図３】空調室内機の断面図。
【符号の説明】
【００４０】
１  空気調和装置
２  空調室内機
１２  室内熱交換器
１３  ファン
１４  ドレンパン
１５  舌部
１５ａ  先端部
１５ｂ  第１面
１５ｃ  第２面
１５ｄ  充填部材
２０ａ  吸込口
２０ｂ  吹出口
【図１】
0004911118.tif 000002
【図２】
0004911118.tif 000003
【図３】
0004911118.tif 000004